(57)【要約】【課題】  複数の周波数コム光源を並列動作させることで広帯域かつコム間隔が不規則となる部分が生じない周波数コム光を発生する【解決手段】  周波数コム光を発生する周波数コム光発生装置１１と、レーザ光源群１２と、各レーザ光源が出射するレーザ光を合波して周波数コム光発生装置に出射するレーザ光カプラ１３と、を備えた周波数コム光源１Ａにおいて、各レーザ光源が出射する各レーザ光の周波数が全て異なり、かつ、２つのレーザ光の周波数の差の絶対値が全ての組合せについて、周波数コム光発生装置が発生する周波数コム光の周波数間隔の、正の整数倍であることを特徴とする。【選択図】    図１
2007012945.tif 000002
【特許請求の範囲】
【請求項１】
周波数コム光を発生する周波数コム光発生装置と、複数のレーザ光源と、前記各レーザ光源が出射するレーザ光を合波して前記周波数コム光発生装置に出射するレーザ光カプラと、を備えた周波数コム光源において、
前記各レーザ光源が出射する各レーザ光の周波数が全て異なり、かつ、２つのレーザ光の周波数の差の絶対値が全ての組合せについて、前記周波数コム光発生装置が発生する周波数コム光の周波数間隔の、正の整数倍であることを特徴とする周波数コム光源。
【請求項２】
同一の周波数間隔の周波数コム光を発生する複数の周波数コム光発生ユニットと、前記各周波数コム光発生ユニットが出射する周波数コム光を合波して出射するコム光カプラとを備えた周波数コム光源において、
前記各周波数コム光発生ユニットは、周波数コム光発生装置とレーザ光を発生するレーザ光源とを備え、
前記各周波数コム光発生ユニットのレーザ光源が出射するレーザ光の周波数が全て異なり、かつ、２つのレーザ光の周波数の差の絶対値が全ての組合せについて、前記周波数コム光発生装置が発生する周波数コム光の周波数間隔の正の整数倍である、
ことを特徴とする周波数コム光源。
【請求項３】
前記各周波数コム光発生ユニットに備えたレーザ光源の少なくとも一つが、複数の周波数ピークを持つレーザ光を発生し、この複数の周波数ピークを持つレーザ光を含め、前記各周波数コム光発生ユニットのレーザ光源が出射するレーザ光の周波数が全て異なり、かつ、２つのレーザ光の周波数の差の絶対値が全ての組合せについて、前記周波数コム光発生装置が発生する周波数コム光の周波数間隔の正の整数倍である、
ことを特徴とする周波数コム光源。
【請求項４】
前記各周波数コム光発生ユニットの出射光側に、光フィルタが設けられ、
前記光フィルタは異なる前記周波数コム光発生ユニットが出射する周波数コム光同士が重畳しないように、またはさらに合波した前記周波数コム光が周波数軸上で途切れないようように選ばれている、
ことを特徴とする請求項２または３に記載の周波数コム光源。
【請求項５】
出力した周波数コム光からコム光間の周波数をビートとして検出し、その値が所定の周波数値となるように、前記レーザ光源の制御装置にフィードバックすることを特徴とする請求項１から４に記載の周波数コム光源。
【請求項６】
複数のレーザ光を周波数コム光発生装置に入射して周波数コム光を発生させる周波数コム光発生方法において、
前記各レーザ光の周波数が全て異なり、かつ、２つのレーザ光の周波数の差の絶対値が全ての組合せについて、前記周波数コム光発生装置が発生する周波数コム光の周波数間隔の、正の整数倍であることを特徴とする周波数コム発生方法。
【請求項７】
レーザ光源と周波数コム光発生装置とをそれぞれ備えた複数の周波数コム光発生ユニットから、同一の周波数間隔の周波数コム光を発生させこれらを合波して出力する周波数コム光発生方法において、
前記各周波数コム光発生ユニットに備えたレーザ光源が出射するレーザ光の周波数が全て異なり、かつ、２つのレーザ光の周波数の差の絶対値が全ての組合せについて、前記周波数コム光発生ユニットが発生する周波数コム光の周波数間隔の正の整数倍である、
ことを特徴とする周波数コム光発生方法。
【請求項８】
前記レーザ光源の少なくとも一つが、複数の周波数ピークを持つレーザ光を発生し、この複数の周波数ピークを持つレーザ光を含め、前記各周波数コム光発生ユニットのレーザ光源が出射するレーザ光の周波数が全て異なり、かつ、２つの周波数の差の絶対値が全ての組合せについて、前記周波数コム光発生装置が発生する周波数コム光の周波数間隔の正の整数倍である、
ことを特徴とする請求項６または７に記載の周波数コム光源。
【請求項９】
前記各周波数コム光発生ユニットが出射する前記周波数コム光同士が重畳しないように、またはさらに合波した前記周波数コム光が周波数軸上で途切れないようように、当該周波数コム光をフィルタリングすることを特徴とする請求項６から８の何れかに記載の周波数コム光発生方法。
【請求項１０】
出力した周波数コム光からコム光間の周波数をビートとして検出し、その値が所定の周波数値となるように、前記レーザ光源の制御装置にフィードバックすることを特徴とする請求項６から９の何れかに記載の周波数コム光発生方法。
【請求項１１】
請求項１から５の何れかに記載の周波数コム光源の出射光路に、
前記周波数コム光源の光を入射して光強度を等価にしかつ増幅を行う光等価／光増幅器と、
前記光等価／光増幅器から出射される光を複数の光路に異なる波長で出力するアレイ導波路格子と、
を備えたことを特徴とする波長多重多波長光源。
【発明の詳細な説明】
【技術分野】
【０００１】
本発明は、複数の周波数コム光源を用いて広帯域の周波数コム光を発生させることができる周波数コム光源、周波数コム光発生装置および波長多重多波長光源に関する。
【背景技術】
【０００２】
従来、図１０（Ａ）に示すような、周波数コム光発生装置が知られている（特許文献１参照）。
図１０（Ａ）において、周波数コム光発生装置９は、４つのレーザ光源９１１，９１２，９１３，９１４と、カプラ９２と、位相変調器９３と、変調信号発生器（発振回路）９４とからなる。
レーザ光源９１１，９１２，９１３，９１４が生成するレーザ光Ｌ１，Ｌ２，Ｌ３，Ｌ４の角周波数ω１，ω２，ω３，ω４であり、これらのレーザ光は、カプラ９２により合波されて位相変調器９３に入射する。
【０００３】
位相変調器９３の両端には反射ミラーが形成されており、入射したレーザ光は光位相変調器９３の内部で反射される。
光位相変調器９３では、入射されたレーザ光Ｌ１，Ｌ２，Ｌ３，Ｌ４を変調角周波数ωｍで変調しており、図１０（Ｂ）に示すように角周波数ω１，ω２，ω３，ω４を中心に低周波側と高周波側に角周波数ωｍ間隔毎に周波数コム光ＦＣが発生する。
【特許文献１】特開平８−１６６６１０号公報
【発明の開示】
【発明が解決しようとする課題】
【０００４】
ところで、図１０（Ａ）の周波数コム光発生装置９は、コム光の発生幅を広げることができるが図１０（Ｂ）の符号ｘに示すように、たとえばレーザ光Ｌ１を中心発生した周波数コム光と、レーザ光Ｌ２を中心に発生した周波数コム光とが重畳する領域では、周波数コム光の周波数間隔が不規則となる。
【０００５】
本発明の目的は、複数の周波数コム光源を並列動作させることで広帯域の周波数コム光を発生させることができ、かつコム間隔が不規則となる部分が生じない周波数コム光源、周波数コム光発生装置および波長多重多波長光源を提供することを目的とする。
【課題を解決するための手段】
【０００６】
本発明の周波数コム光源は、（１）〜（５）を要旨とする。
（１）周波数コム光を発生する周波数コム光発生装置と、複数のレーザ光源と、前記各レーザ光源が出射するレーザ光を合波して前記周波数コム光発生装置に出射するレーザ光カプラと、を備えた周波数コム光源において、
前記各レーザ光源が出射する各レーザ光の周波数が全て異なり、かつ、２つのレーザ光の周波数の差の絶対値が全ての組合せについて、前記周波数コム光発生装置が発生する周波数コム光の周波数間隔の、正の整数倍であることを特徴とする周波数コム光源。
【０００７】
（２）同一の周波数間隔の周波数コム光を発生する複数の周波数コム光発生ユニットと、前記各周波数コム光発生ユニットが出射する周波数コム光を合波して出射するコム光カプラとを備えた周波数コム光源において
前記各周波数コム光発生ユニットは、周波数コム光発生装置とレーザ光を発生するレーザ光源とを備え、
前記各周波数コム光発生ユニットのレーザ光源が出射するレーザ光の周波数が全て異なり、かつ、２つのレーザ光の周波数の差の絶対値が全ての組合せについて、前記周波数コム光発生装置が発生する周波数コム光の周波数間隔の正の整数倍である、
ことを特徴とする周波数コム光源。
【０００８】
（３）前記各周波数コム光発生ユニットに備えたレーザ光源の少なくとも一つが、複数の周波数ピークを持つレーザ光を発生し、この複数の周波数ピークを持つレーザ光を含め、前記各周波数コム光発生ユニットのレーザ光源が出射するレーザ光の周波数が全て異なり、かつ、２つのレーザ光の周波数の差の絶対値が全ての組合せについて、前記周波数コム光発生装置が発生する周波数コム光の周波数間隔の正の整数倍である、
ことを特徴とする周波数コム光源。
【０００９】
（４）前記各周波数コム光発生ユニットの出射光側に、光フィルタが設けられ、
前記光フィルタは異なる前記周波数コム光発生ユニットが出射する周波数コム光同士が重畳しないように、またはさらに合波した前記周波数コム光が周波数軸上で途切れないようように選ばれている、
ことを特徴とする（２）または（３）に記載の周波数コム光源。
【００１０】
（５）出力した周波数コム光を前記レーザ光源の制御装置にフィードバックすることを特徴とする（１）から（４）に記載の周波数コム光源。
【００１１】
本発明の周波数コム発生方法は、（６）〜（１０）を要旨とする。
（６）複数のレーザ光を周波数コム光発生装置に入射して周波数コム光を発生させる周波数コム光発生方法において、
前記各レーザ光の周波数が全て異なり、かつ、２つのレーザ光の周波数の差の絶対値が全ての組合せについて、前記周波数コム光発生装置が発生する周波数コム光の周波数間隔の、正の整数倍であることを特徴とする周波数コム発生方法。
【００１２】
（７）レーザ光源と周波数コム光発生装置とをそれぞれ備えた複数の周波数コム光発生ユニットから、同一の周波数間隔の周波数コム光を発生させこれらを合波して出力する周波数コム光発生方法において、
前記各周波数コム光発生ユニットに備えたレーザ光源が出射するレーザ光の周波数が全て異なり、かつ、２つのレーザ光の周波数の差の絶対値が全ての組合せについて、前記周波数コム光発生ユニットが発生する周波数コム光の周波数間隔の正の整数倍である、
ことを特徴とする周波数コム光発生方法。
【００１３】
（８）前記レーザ光源の少なくとも一つが、複数の周波数ピークを持つレーザ光を発生し、この複数の周波数ピークを持つレーザ光を含め、前記各周波数コム光発生ユニットのレーザ光源が出射するレーザ光の周波数が全て異なり、かつ、２つの周波数の差の絶対値が全ての組合せについて、前記周波数コム光発生装置が発生する周波数コム光の周波数間隔の正の整数倍である、
ことを特徴とする請求項６または７に記載の周波数コム光源。
【００１４】
（９）前記各周波数コム光発生ユニットが出射する前記周波数コム光同士が重畳しないように、またはさらに合波した前記周波数コム光が周波数軸上で途切れないようように、当該周波数コム光をフィルタリングすることを特徴とする請求項６から８の何れかに記載の周波数コム光発生方法。
【００１５】
（１０）出力した周波数コム光を前記レーザ光源の制御装置にフィードバックすることを特徴とする（６）から（９）の何れかに記載の周波数コム光発生方法。
【００１６】
本発明の周波数コム発生方法は、（１１）を要旨とする。
（１１）（１）から（５）の何れかに記載の周波数コム光源の出射光路に、
前記周波数コム光源の光を入射して光強度を等価にしかつ増幅を行う光等価／光増幅器と、
前記光等価／光増幅器から出射される光を複数の光路に異なる波長で出力するアレイ導波路格子と、
を備えたことを特徴とする波長多重多波長光源。
【発明の効果】
【００１７】
本発明によれば、広帯域でかつ等間隔で周波数コム光を発生させることができる。
また、複数の周波数コム光発生ユニットからの出射光を合波して周波数コム光を生成する態様においても、フィルタを使用することで（フィルタリングすることで）、異なる周波数コム光発生ユニットが生成した周波数コム光同士が重畳せず、あるいは合波した周波数コム光が周波数軸上で途切れる部分が生じない周波数コム光を発生させることができる。
【発明を実施するための最良の形態】
【００１８】
本発明の周波数コム光源の第１実施形態を図１（Ａ）および図２により説明する。
図１（Ａ）において、周波数コム光源１Ａは、周波数コム光発生装置（ＦＣＧ）１１と複数のレーザ光源群１２と、レーザ光カプラ（ＣＰ）１３と光源制御装置１４とを備えている。
【００１９】
周波数コム光発生装置１１は、典型的には周知の周波数コム光発生装置を使用することができることはもちろん、本件発明者により先に提案されている周波数コム発生装置（日本国特許出願２００５−１５６４５０）を使用することもできる。この周波数コム発生装置は、たとえば２５ＧＨｚの変調信号源を使用して２倍の周波数（５０ＧＨｚ）の変調信号源を使用したと同様の広帯域の周波数コム光を発生することができる。
【００２０】
レーザ光源群１２は、角周波数ω1，ω2，・・・，ωnのレーザ光Ｂ1，Ｂ2，・・・，Ｂnを発生する複数のレーザ光源ＬＳ1，ＬＳ2，・・・，ＬＳnからなる。
レーザ光カプラ１３は、レーザ光Ｂ1，Ｂ2，・・・，Ｂnを合波して周波数コム光発生装置１１に出射する。
【００２１】
周波数コム光源１Ａにおいて、角周波数ω1，ω2，・・・，ωnは全て異なり、かつ、角周波数ω1，ω2，・・・，ωnのうち、２つの角周波数の差の絶対値が、周波数コム光発生装置１１が発生する周波数コム光ＦＣの角周波数間隔Ω2の、正の整数倍である。
【００２２】
すなわち、ω1＜ω2＜・・・＜ωnであるときに、
ωk+1−ωk＝Ｍk×Ω  ・・・（１）
（ｋ＝１，・・・，ｎ−１）
である。ただし、Ｍkは正の整数、Ωは周波数コム光ＦＣの角周波数間隔である。レーザ光源ＬＳ1，ＬＳ2，・・・，ＬＳnが、（１）式の関係を満たすようにするために、周波数コム光ＦＣを光検出器ＰＤにより検出してスペクトルアナライザＳＡを介して、周波数コム光の間隔がΩからずれないように光源制御装置１４によりレーザ光源ＬＳ1，ＬＳ2，・・・，ＬＳnをフィードバック制御する。
図２（Ａ）に図１（Ａ）の周波数コム光源１Ａのレーザ光源ＬＳ1，ＬＳ2，・・・，ＬＳnが出射する周波数軸上のレーザ光Ｂ1，Ｂ2，・・・，Ｂnを示し、図２（Ｂ）に周波数コム光発生装置１１が出射する周波数コム光ＦＣを示す。
本発明の周波数コム光源の第２実施形態を図１（Ｂ）より説明する。
本実施形態では、周波数コム光源１Ｂには光検出器ＰＤおよびスペクトルアナライザＳＡは設けられておらず、周波数コム光発生装置（ＦＣＧ）１１の後段にフィルタＦが設けられているいる以外、構成は図１（Ａ）の周波数コム光源１Ａと概略同じである。この周波数コム光源１Ｂでは、レーザ光Ｂ1，Ｂ2，・・・，Ｂnに基づく周波数コム光同士の重畳部分をフィルタによりカットすることができる。
【００２３】
本発明の周波数コム光源の第３実施形態を図３および図４により説明する。図３において、周波数コム光源２は、複数の周波数コム光発生ユニットＵ1，Ｕ2，・・・，Ｕm（それぞれ共通符号２１により示す）と、フィルタ部Ｆ1，Ｆ2，・・・，Ｆm（それぞれ共通符号２２により示す）と、コム光カプラ２３とを備えている。
【００２４】
周波数コム光発生ユニットＵ1，Ｕ2，・・・，Ｕmの構成は、同じであるので、１番目の周波数コム光発生ユニットＵ1の構成を説明する。
周波数コム光発生ユニットＵ1は、周波数コム光発生装置２１３（ＦＣＧ1）と、複数のレーザ光源２１１（ＬＳ1,1，ＬＳ1,2，・・・，ＬＳ1,n1）と、レーザ光カプラ２１２（ＣＰ1）とからなる。添え字ｎ１は正の整数であり、周波数コム光発生ユニットＵ1が備えるレーザ光源の個数を示す数値と同じである。
【００２５】
レーザ光源ＬＳ1,1，ＬＳ1,2，・・・，ＬＳ1,n1は、角周波数ω1,1，ω1,2，・・・，ω1,n1のレーザ光Ｂ1,1，Ｂ1,2，・・・，Ｂ1,n1を発生する。
レーザ光Ｂ1,1，Ｂ1,2，・・・，Ｂ1,n1の角周波数
ω1,1，ω1,2，・・・，ω1,n1、
および他の周波数コム光発生ユニットＵ3からＵ3が発生する角周波数、
ω2,1，ω2,2，・・・，ω2,n2、
・・・
ωm,1，ωm,2，・・・，ωm,nm
は全て異なり、かつ、これらの角周波数のうち２つの角周波数の差の絶対値は、周波数コム光発生装置が発生する周波数コム光の角周波数間隔Ωの、正の整数倍である。
【００２６】
すなわち、各角周波数との間には、
｜ωp−ωq｜＝Ｍpq×Ω（ｐ≠ｑ）・・・（２）
の関係がある。ここで、Ｍpqはｐ，ｑの組合せに応じて決まる正の整数である。図４では説明の便宜上、角周波数間隔Ｍを全てＭで表してある。
レーザ光カプラＣＰ1は、レーザ光Ｂ1,1，Ｂ1,2，・・・，Ｂ1,n1を合波し、合波光を周波数コム光発生装置ＦＣＧ1に出射する。周波数コム光発生装置ＦＣＧ1は、角周波数間隔Ωの周波数コム光ＦＣ1を発生する。また他の周波数コム光発生ユニットＵ2，Ｕ3，・・・，Ｕmの周波数コム光発生装置ＦＣＧ2，・・・，ＦＣＧmが発生する周波数コム光ＦＣ2，ＦＣ3，・・・，ＦＣmの角周波数間隔もΩである。
【００２７】
フィルタ部Ｆ1，Ｆ2，・・・，Ｆmは、周波数コム光発生ユニットＵ1，Ｕ2，・・・，Ｕmが出射する（すなわち周波数コム光発生装置ＦＣＧ1，ＦＣＧ2，・・・，ＦＣＧmが出射する）周波数コム光ＦＣ1，ＦＣ2，・・・，ＦＣm同士が重畳しないように、かつコム光カプラ（ＣＰ）２３により合波された周波数コム光が周波数軸上で途切れないようように（すなわち、コム光カプラ２３から出力される周波数コム光ＦＣのコム間隔Ωが担保されるように）選ばれている。
フィルタ部（光フィルタ）として、ファイバブラッグ格子等を用いることができる。
【００２８】
ｋ＜ｒとしたときに、周波数コム光発生ユニットＵkのレーザ光源ＬＳk,1，ＬＳk,2，・・・，ＬＳk,kmが出射する角周波数ωk,1，ωk,2，・・・，ωk,kmの何れもが、周波数コム光発生ユニットＵrのレーザ光源ＬＳr,1，ＬＳr,2，・・・，ＬＳr,rmが出射する角周波数ωr,1，ωr,2，・・・，ωr,rmの何れもより小さくするように構成することができる。この場合には、周波数コム光発生ユニットＵ1，Ｕ2，・・・，Ｕmのレーザ光源の個数は異なっていてもよい。この場合のフィルタ部Ｆとして、バンドパスフィルタが採用できる。
【００２９】
この場合のレーザ光を図４（Ａ）に示す。また、図４（Ｂ）に周波数コム光発生ユニットＵ1，Ｕ2，・・・，Ｕmが発生する周波数コム光ＦＣ1，ＦＣ2，・・・，ＦＣmを示し（フィルタ通過特性を矩形波形で示す）、図４（Ｃ）にコム光カプラ２３から出射される周波数コム光ＦＣを示す。周波数コム光発生ユニットＵ1，Ｕ2，・・・，Ｕmは相互に無関係に周波数コム光を発生しているので、周波数コム光発生ユニットが発生する周波数コム光と周波数コム光発生ユニットが発生する周波数コム光とが相互に重なる場合がある（図４（Ｃ）のX部参照参照）。この場合重畳部分を使用しないようにすることができる。このような重畳部分の発生は、雑音の発生につながるため、この部分に周波数が現れないようにフィルタをセットしておくようにしてもよい。
各周波数コム光発生ユニットのレーザ光源が出射する角周波数が、上記のような大小関係を持たないように構成することができる。たとえば、周波数コム光発生ユニットＵ1，Ｕ2，・・・，Ｕmのレーザ光源の個数を同じにしておき、
ω1,1＜ω2,1＜・・・＜ωm,1
＜ω1,2＜ω2,2＜・・・＜ωm,2
＜ω1,3＜ω2,3＜・・・＜ωm,3・・・
＜ω1,km＜ω2,km＜・・・＜ωm,km
の関係が成立するように角周波数を選ぶことができる。
【００３０】
この場合のレーザ光を図５（Ａ）に示す。また、図５（Ｂ）に周波数コム光発生ユニットＵ1，Ｕ2，・・・，Ｕmが発生する周波数コム光ＦＣ1，ＦＣ2，・・・，ＦＣmを示し（フィルタ通過特性を矩形波形で示す）、図５（Ｃ）にコム光カプラ２３から出射される周波数コム光ＦＣを示す。ここでは、フィルタ部Ｆとして、バンドパスフィルタを使用している。
【００３１】
図６は、本発明の周波数コム光源の第４実施形態を示す説明図であり、２つの周波数コム光発生ユニットＵ1（３１１），Ｕ2（３１２）により、周波数コム光源３が構成されている。
ω1,1＜ω2,1＜ω1,2＜ω2,2
ω2,1−ω1,1＝Ｍ1Ω
ω1,2−ω2,1＝Ｍ2Ω
ω2,2−ω1,2＝Ｍ3Ω
とした場合において、Ｍ1，Ｍ2，Ｍ3を異ならせてもよいが、本実施形態では、説明の便宜上、Ｍ1，Ｍ2，Ｍ3は同じにしてある。
すなわち、図６では、
ω1,1＜ω2,1＜ω1,2＜ω2,2、
ω2,1−ω1,1＝ω1,2−ω2,1＝ω2,2−ω1,2＝ＭΩ  ・・・（３）
である。
周波数コム光発生ユニットＵ1は周波数コム光発生装置ＦＣＧ1と、２つのレーザ光源ＬＳ1,1，ＬＳ1,2とレーザ光カプラＣＰ1,1とからなる。周波数コム光発生装置ＦＣＧ1は、変調周波数Ωの変調信号＋φ1ｓｉｎΩｔ，−φ1ｓｉｎΩｔにより駆動される第１のマッハツェンダ型導波路ＭＺ1と、変調周波数Ωの変調信号＋φ2ｓｉｎΩｔ，−φ2ｓｉｎΩｔにより駆動される第２のマッハツェンダ型導波路ＭＺ2とからなる。
【００３２】
周波数コム光発生ユニットＵ2は周波数コム光発生装置ＦＣＧ2と、２つのレーザ光源ＬＳ2,1，ＬＳ2,2とレーザ光カプラＣＰ2,1とからなる。周波数コム光発生装置ＦＣＧ2は周波数コム光発生装置ＦＣＧ1の構成と同じである。
周波数コム光発生ユニットＵ1の出射側に設けたフィルタ部Ｆ1（３２１）は、光フィルタＢＰ11，ＢＰ12の直列接続からなる。
同様に、周波数コム光発生ユニットＵ2の出射側に設けたフィルタ部Ｆ2（３２２）は、光フィルタＢＰ21，ＢＰ22の直列接続からなる。
【００３３】
図７（Ａ）に示すように、本実施形態ではレーザ光源ＬＳ1,1，ＬＳ1,2，ＬＳ2,1，ＬＳ2,2の出力光Ｂ1,1，Ｂ1,2，Ｂ2,1，Ｂ2,2は、同一間隔（周波数ＭΩ置き）の値に設定されているが、本発明はこれには限定されず、異なる値に設定することができる。
周波数コム光発生装置ＦＣＧ1,ＦＣＧ2が出射する周波数コム光ＦＣ1,ＦＣ2の周波数特性は、図７（Ｂ）に示すように互い違いとなる。
【００３４】
周波数コム光発生装置ＦＣＧ1の出射光が光フィルタＢＰ11を通過したときの周波数特性、周波数コム光発生装置ＦＣＧ2の出射光が光フィルタＢＰ21を通過したときの周波数特性を図８（Ａ）に示す。さらに光フィルタＢＰ11の出射光が光フィルタＢＰ12を通過したときの周波数特性、光フィルタＢＰ21の出射光が光フィルタＢＰ22を通過したときの周波数特性を図８（Ｂ）に示す。また、カプラＣＰ2の出射光（周波数コム光ＦＣ）を図８（Ｃ）に示す。
【００３５】
なお、図６の周波数コム光源３では、（３）式の関係を維持するために、カプラＣＰ2の出射光用の光検出器ＰＤとスペクトルアナライザＳＰＡよりコム光間の周波数を検出し、レーザ光コントローラＣＮＴ1,1，ＣＮＴ1,2，ＣＮＴ2,1，ＣＮＴ2,2にフィードバックしている。
レーザ光コントローラは、レーザ電源と波長ロッカとを含み、電源制御および温度制御を行う。
【００３６】
たとえば、周波数コムの間隔が２ＭΩでないことが検出されたときは、レーザ光源ＬＳ2,1，ＬＳ2,2を駆動せずに、ＣＮＴ1,1，ＣＮＴ1,2により周波数コムの間隔が２ＭΩになるようにレーザ光源ＬＳ1,1，ＬＳ1,2を制御する。つぎに、レーザ光源ＬＳ2,2を駆動せずにＣＮＴ1,1，ＣＮＴ1,2，ＣＮＴ2,1により周波数コムの間隔が２ＭΩになるようにレーザ光源ＬＳ1,1，ＬＳ1,2，ＬＳ2,1を制御する。そして、４つのレーザ光源ＬＳ1,1，ＬＳ1,2，ＬＳ2,1，ＬＳ2,2を全て駆動し、ＣＮＴ1,1，ＣＮＴ1,2，ＣＮＴ2,1，ＣＮＴ2,2により周波数コムの間隔が２ＭΩになるようにレーザ光源ＬＳ1,1，ＬＳ1,2，ＬＳ2,1，ＬＳ2,2を制御する。
【００３７】
図９は本発明の高密度波長多重伝送（ＤＷＤＭ）用多波長光源の実施形態を示す説明図である。
図９において、多波長光源４は、図６の周波数コム光源３の後段に増幅器４５１と光等価器４５２からなる増幅／光等価器４５と、アレイ導波路格子（ＡＷＧ）４６とが備えられて構成されている。
【００３８】
光等価／光増幅器４５は、周波数コム光源３の出射光を入射し光強度を増幅し等価化を行う。アレイ導波路格子４６は光等価／光増幅器４５から出射される周波数コム光ＦＣを複数の光路で出力する。
【００３９】
高密度波長多重伝送システムのスタンダードの１つでは、多数の光搬送波の各周波数間隔を５０ＧＨｚに設定するように定められている。周波数コム光源として図６に示したものを使用することで、容易（安価）に取得できる２５ＧＨｚの周波数出力の変調駆動回路を用いて、５０ＧＨｚの周波数コム光を発生させることができる。したがてって、高密度波長多重伝送（ＤＷＤＭ）用多波長光源を簡単にかつ低価格で製造することができる。
【図面の簡単な説明】
【００４０】
【図１】（Ａ）は本発明の周波数コム光源の第１実施形態を示すブロック図、（Ｂ）は本発明の周波数コム光源の第２実施形態を示すブロック図。
【図２】図１（Ａ）の周波数コム光源の動作説明図であり、（Ａ）は周波数軸上のレーザ光を示す図、（Ｂ）は周波数コム光発生装置が出射する周波数コム光を示す図である。
【図３】本発明の複数の周波数コム光発生ユニットを備えた周波数コム光源の第３実施形態を示す説明図である。
【図４】図３の周波数コム光源の一動作態様における説明図であり、（Ａ）はレーザ光源を示す図、（Ｂ）は周波数コム光発生ユニットが発生する周波数コム光を示す図、（Ｃ）はコム光カプラから出射される周波数コム光ＦＣを示す図である。
【図５】図３の周波数コム光源の他の動作態様における説明図であり、（Ａ）はレーザ光源を示す図、（Ｂ）は周波数コム光発生ユニットが発生する周波数コム光を示す図、（Ｃ）はコム光カプラから出射される周波数コム光ＦＣを示す図である。
【図６】本発明の周波数コム光源の第４実施形態を示す説明図である。
【図７】（Ａ）はレーザ光源の出力光が、周波数ＭΩ置きの値に設定されている様子を示す図、（Ｂ）は２つの周波数コム光発生装置が出射する周波数コム光ＦＣ1,ＦＣ2の周波数特性が互い違いとなっている様子を示す図である。
【図８】（Ａ）は２つの周波数コム光発生装置の出射光がそれぞれバンドパスフィルタを通過したときの周波数特性を示す図、（Ｂ）はそれぞれのバンドパスフィルタの出射光がバンドカットフィルタを通過したときの周波数特性を示す図、（Ｃ）はカプラの出射光（周波数コム光ＦＣ）を示す図である。
【図９】本発明の高密度波長多重伝送（ＤＷＤＭ）用多波長光源の実施形態を示す説明図である。
【図１０】（Ａ）は従来の周波数コム光発生装置を示す図、（Ｂ）は周波数コムの周波数を示す図である。
【符号の説明】
【００４１】
１Ａ，１Ｂ，２，３  周波数コム光源
４  多波長光源
１１  周波数コム光発生装置
１２  レーザ光源群
１３  レーザ光カプラ
１４  光源制御装置
２１  周波数コム光発生ユニット
２２  フィルタ部
２３  コム光カプラ
４４  カプラ
４５  増幅／光等価器
４６  アレイ導波路格子
４７  光検出器
２１１  レーザ光源
２１２  レーザ光カプラ
２１３  周波数コム光発生装置
３１１，３１２  周波数コム光発生ユニット
３２１，３２２  フィルタ部
４５１  増幅器
４５２  光等価器
【図１】
2007012945.tif 000003
【図２】
2007012945.tif 000004
【図３】
2007012945.tif 000005
【図４】
2007012945.tif 000006
【図５】
2007012945.tif 000007
【図６】
2007012945.tif 000008
【図７】
2007012945.tif 000009
【図８】
2007012945.tif 000010
【図９】
2007012945.tif 000011
【図１０】
2007012945.tif 000012